(57)【要約】溝と建物に当接する後面とを有する構造体を含む建物の外装に用いるラップサイディングシステム。溝は、長さと、溝の長さに沿って延びる輪郭とを含む。システムは、延長部と、長さと、頭部とを有する水切りも含む。頭部は、水切りの延長部が構造体から構造体の後面と略平行に延びるように構造体に接続可能である。加えて、頭部の一部は溝の輪郭の一部に当接し且つ従っている。ラップサイディングシステムは、第１端部を有する複数の板も含む。水切りは、複数の板の第１端部を受容する大きさの幅を有する板用溝の少なくとも一部を形成する。
2008540886.tif 000002
【特許請求の範囲】
【請求項１】
建物の外装に用いられる器具において、
溝と後面とを備える構造体であって、前記溝は長さと輪郭とを有することと、
延長部と頭部とを有する水切りであって、前記水切りの前記延長部が前記構造体から前記構造体の前記後面と略平行に延びるように前記頭部が前記構造体に接続可能であり、前記頭部の一部は前記溝の前記輪郭の一部に当接し且つ従っていることと、を備え、
前記水切りは、板の端部を受容する大きさの幅を有する板用溝の少なくとも一部を形成する器具。
【請求項２】
前記水切りは前記板用溝の両側部を延びる請求項１に記載の器具。
【請求項３】
前記水切りの前記頭部は取付溝を備え、前記構造体は前記溝と略平行に延びる突部を備え、前記突部は前記取付溝内に配設される請求項１に記載の器具。
【請求項４】
前記水切りの前記頭部は、前記頭部の一部が前記溝の長さに対して非平行な角度で前記溝に挿入されるときに曲がるロックアームを備え、前記ロックアームは、前記溝の長さに対して非平行な角度で前記頭部の一部が前記溝から外れることを阻止する請求項１に記載の器具。
【請求項５】
前記構造体は、前記構造体の表面から離れるように前記水切りの前記延長部に向かって延びる頂部を備え、前記水切りの前記頭部は、前記溝の長さに対して非平行な角度で前記水切りの前記頭部の一部が前記溝から外れるのを阻止するように前記頂部に係合するロックアームを備える請求項１に記載の器具。
【請求項６】
前記器具は、延長部と頭部とを有する第２水切りをさらに備え、前記構造体は第２溝をさらに備え、前記第２水切りの前記延長部が前記溝から前記構造体の前記後面と略平行に延びるように前記第２水切りの頭部が前記構造体に接続可能であり、前記第２水切りの頭部の一部は前記第２溝の輪郭の一部に当接し且つ従っている請求項１に記載の器具。
【請求項７】
前記器具は、第２水切りと第２構造体とをさらに備え、前記第２水切りは延長部と頭部とを備え、前記第２構造体は溝と後面とを有し、前記第２水切りの前記延長部が前記第２構造体から前記第２構造体の前記後面と略平行に延びるように前記第２水切りの頭部が前記第２構造体に接続可能であり、前記第２水切りの前記頭部の一部は前記第２構造体の前記溝の輪郭の一部に当接し且つ従っており、前記第２構造体は前記構造体に所望の角度で取り付けられる請求項１に記載の器具。
【請求項８】
建物の外装に用いられるラップサイディングシステムにおいて、
溝と後面とを備える構造体であって、前記溝は長さと前記溝の前記長さに沿って延びる輪郭とを備えることと、
延長部と成形された頭部とを有する水切りであって、前記水切りの前記延長部が前記構造体から前記構造体の前記後面と略平行に延びるように前記頭部が前記構造体に接続可能であり、前記頭部の一部は前記溝の前記輪郭の一部に当接し且つ従っていることと、
複数の板であって、各板は第１端部を備え、前記水切りは前記複数の板のうちの一つの前記第１端部を受容する大きさの幅を有する板用溝の少なくとも一部を形成することと、を備えるシステム。
【請求項９】
前記水切りは前記板用溝の両側部を延びる請求項８に記載のシステム。
【請求項１０】
前記構造体は前記溝と略平行に延びる突部を備え、前記水切りの前記頭部は前記構造体
の前記突部を受容するように成形された取付溝を備える請求項８に記載のシステム。
【請求項１１】
前記水切りの前記頭部は、前記頭部の一部が前記溝の長さに対して非平行な角度で前記溝に挿入されるときに曲がるロックアームを備え、前記ロックアームは、前記溝の長さに対して非平行な角度で前記水切りの前記頭部の一部が前記溝からの外れるのを阻止する請求項８に記載のシステム。
【請求項１２】
前記構造体は、前記表面から離れるように前記水切りの前記延長部に向かって延びる頂部を備え、前記水切りの頭部は、前記溝の長さに対して非平行な角度で前記水切りの前記頭部が前記溝から外れるのを阻止するように前記頂部に係合するロックアームを備える請求項８に記載のシステム。
【請求項１３】
前記システムは、第２の複数の板と、延長部及び頭部を有する第２水切りとをさらに備え、前記第２の複数の板における各板は第１端部を有し、前記構造体は第２溝をさらに備え、前記第２水切りの前記延長部が前記溝から前記構造体の前記後面と略平行に延びるように前記第２水切りの前記頭部が前記第２溝に接続可能であり、前記第２水切りは、前記第２の複数の板のうちの一つの前記第１端部を受容する大きさの幅を有する板用溝の少なくとも一部を形成する請求項８に記載のシステム。
【請求項１４】
前記器具は、第２水切り、第２構造体、及び第２の複数の板をさらに備え、前記第２の複数の板における各板は第１端部を有し、前記第２水切りは延長部及び頭部を有するとともに前記第２構造体は溝及び後面を有し、前記第２水切りの前記延長部が前記第２構造体から前記第２構造体の前記後面と略平行に延びるように前記第２水切りの前記頭部が前記第２構造体の前記溝に接続可能であり、前記第２水切りは前記第２の複数の板のうちの一つの第１端部を受容する大きさの幅を有する板用溝の少なくとも一部を形成し、前記第２構造体は前記構造体に所望の角度で取り付けられる請求項８に記載のシステム。
【請求項１５】
前記複数の板における１番目の板及び２番目の板を位置決めして前記２番目の板の一部を前記１番目の板の一部に重ねるための連結具をさらに備え、前記連結具は前記１番目の板に係合する第１位置決め面と前記２番目の板に係合する第２位置決め面とを有する請求項８に記載のシステム。
【請求項１６】
前記連結具の前記第１位置決め面は、前記１番目の板の側面に当接する上側当接面と、前記１番目の板の前面に当接する前側当接面とを備える請求項１５に記載のシステム。
【請求項１７】
前記連結具は前記第２位置決め面を備える係合部材を含み、前記２番目の板は相互位置決め面を有するスロットを備え、前記スロットは前記係合部材を受容するように成形され、それによって前記相互位置決め面が前記第２位置決め面と係合する請求項１５に記載のシステム。
【請求項１８】
板に当接する板取付面を有する上部継ぎ手部材と、前記板取付面の反対に位置する留め具頭部用凹部と、建物への取り付けのための延長部とをさらに備える請求項８に記載のシステム。
【請求項１９】
建物の外装にラップサイディングを組み付ける方法であって、
水切りの延長部が構造体から該構造体の後面と略平行に延びるように前記水切りの頭部の一部を前記構造体の溝内に配設する工程であって、前記頭部の一部は前記溝の長さに沿って延びる輪郭の一部に略従う形状を有し、前記水切りは板の第１端部を受容する大きさの幅を有する板用溝の少なくとも一部を形成することと、
前記構造体の後面が前記建物に近接して配設されるように前記水切りを前記建物に取り
付ける工程と、
前記板が前記板用溝から延びるように前記板の第１端部を板用溝内に配設する工程と、
前記板を前記建物に取り付ける工程と、
を備える方法。
【請求項２０】
前記水切りを前記構造体に取り付ける工程をさらに備える請求項１９に記載の方法。
【請求項２１】
前記構造体は前記溝と略平行に延びる突部を備え、前記水切りの前記頭部は取付溝を備え、前記方法は前記構造体の前記突部を前記取付溝内に配設する工程をさらに備える請求項１９に記載の方法。
【請求項２２】
前記板を連結具の第１位置決め面と係合させるとともに２番目の板を前記連結具の第２位置決め面と係合させることで前記２番目の板の一部を前記板の一部に重ねる工程をさらに備える請求項１９に記載の方法。
【請求項２３】
前記連結具の前記第１位置決め面は、前記板の側面に係合する上側当接面と、前記板の前面に当接する前側当接面とを含む請求項２２に記載の方法。
【請求項２４】
前記連結具は前記第２位置決め面を備える係合部材を含み、前記２番目の板は相互位置決め面を有するスロットを備え、前記方法は前記係合部材を前記スロット内に配設することで前記相互位置決め面を前記第２位置決め面に係合させる工程をさらに備える請求項２２に記載の方法。
【請求項２５】
前記２番目の板の端部を前記板用溝内に配設するとともに前記２番目の板を前記建物に取り付ける工程をさらに備える請求項２２に記載の方法。
【請求項２６】
前記連結具を前記板に取り付ける工程をさらに備える請求項２２に記載の方法。
【請求項２７】
第２の複数の板における一つの板を、延長部と頭部とを有する第２水切りによって少なくとも部分的に形成された板用溝に配設するとともに、前記第２板を建物に取り付ける工程をさらに備え、前記板は第２溝をさらに備え、前記第２水切りの前記延長部が前記構造体から該構造体の前記後面と略平行に且つ前記第２の複数の板における前記板の後ろを延びるように、前記第２水切りの頭部が前記第２溝に取り付けられる請求項１９に記載の方法。
【請求項２８】
２番目の構造体を前記構造体に所望の角度で取り付ける工程をさらに備え、前記２番目の構造体は第２水切りに取り付けられ、前記方法は、第２の複数の板における一つの板を第２水切りによって少なくとも部分的に形成された板用溝に配設するとともに、前記第２の複数の板における前記板を建物に取り付ける工程をさらに備える請求項１９に記載の方法。
【請求項２９】
上部継ぎ手部材の板取付面を前記板に対して当接させる工程と、前記上部継ぎ手部材を前記板に留め具で取り付けることで前記留め具の頭部を前記板取付面の反対に位置する留め具頭部用凹部内に配設する工程と、前記上部継ぎ手部材の延長部を建物に取り付ける工程とをさらに備える請求項１９に記載の方法。
【発明の詳細な説明】
【技術分野】
【０００１】
本発明は、住宅及び商業建築の外装に用いられるラップサイディングシステム及び装置に関する。
【背景技術】
【０００２】
ラップサイディングシステムは、重なった水平または垂直ボードまたは板を建物の外部に取り付けることによって、一般的に、美しく低メンテナンスな外装を様々な建物に提供する。便宜上、単語「板」は、ボード、薄板及びパネルを含む。板は、木、セメント質材、プラスチック、金属、ガラス、様々な種類の繊維及び充填材、これらの材料の複合材及び当該技術において公知の他の材料から作られる。
【０００３】
構造上の一般的な課題は、板同士の間及び角のような、ラップサイディングシステムにおける耐候構造接続箇所にある。耐候は、白アリ、害虫、カビ群の増殖をもたらす水漏れに関連する損傷から建物の基礎構造を保護する目的を果たす。水漏れに起因する損傷はまた、ラップサイディングシステムの板及び基礎構造の腐食、膨潤、歪みをもたらす。水漏れはまた、断熱効果の低下、組積物の亀裂、建物の基礎構造からのサイディングシステムの弛み等をもたらす。
【０００４】
耐候における標準的な施工は、構造接合箇所を水切りで封止するとともに支援することである。通常は、このような水切りは金属またはビニールから作られ、接合箇所の下に位置決めされ、基礎構造に取り付けられる。この種の水切りは通常、接合箇所によって形成された継ぎ目全体に沿って配置される。
【０００５】
水切りは通常コーキングを用いて基礎構造に対して封止される。しかしながら、コーキングは時間が経つに連れて縮まる傾向がある。加えて、風化や、水切り、サイディング及びコーキングの異なる熱膨張及び熱収縮が封止不良を引き起こし、それによりサイディングの後ろに水が漏れるとともにラップサイディングシステム及び基礎構造に水による損傷が生じることがある。さらに、露出した接合箇所、コーキング及び水切りは外観が悪くなる。
【０００６】
加えて、現在利用可能なラップサイディングシステムの最底水平板及びスタート部材は、基礎又は腰板の一部に当接または接触する。水はしばしばこの接合箇所に集まるとともに留まってしまい、最底板及びスタート部材に水による損傷を引き起こす。さらに、最底板及びスタート部材はしばしば建物の基礎構造の近くに配設されており、水が最底板、スタート部材、及び建物の基礎構造の間で吸い上がり、これが重大な水による損傷を起こす可能性を増加させる。
【０００７】
ラップサイディングシステムの建物への組み付けにおける他の課題は、各板を基礎構造に均等に取り付ける難しさである。現在の組み付け方法は、コンスタントな板位置の測定と調整を要し、これには多大な時間がかかる。
【０００８】
いくつかのラップサイディングシステムには、屋根とラップサイディングシステムとの間に少なくとも２インチ（５．０８センチメートル）の空隙が要求される。水切り及び対向水切りは、風及び水から空隙を保護するために、組み付けられるとともにコーキングされる。しかしながら、この空隙は外観が悪く且つ前述した構造接合箇所のようにコーキング及び水切りが不良となることがあり、それにより水が水切りの後ろに漏れることがある。
【０００９】
したがって、ラップサイディングシステムは、外観の悪い接合箇所を避けるとともにコーキングを要しない必要がある。また、ラップサイディングシステムは、建物に取り付けられる各板の位置及び方向の測定及び修正に費やされる時間を最小にして均等に組み付けられる必要がある。さらに、ラップサイディングシステムは屋根と整合するように組み付けられる必要性がある。
【発明の開示】
【００１０】
本発明の器具及びシステムは当該技術の現在の状態を鑑みて、特に現在利用可能なラップサイディングシステム及び器具によって完全に解決されていない技術における課題及び必要性を鑑みて開発された。したがって、本発明は優れた美観で低メンテナンスな外装を様々な建物に提供するラップサイディングシステム及び器具を提供する。
【００１１】
好ましい実施形態においてここで具体化されるとともに広く説明された本発明に従い、ラップサイディングシステムが提供される。ラップサイディングシステムは第１端と第２端とを有する複数の板を含む。建物に組み付けられるとき、各板の一部は他の板の一部に重なる。
【００１２】
ラップサイディングシステムは、突合せ部、コーナ、窓トリム、幕板、ドアトリム、及び腰板の最上部の位置とそれらの周囲とでの水漏れを防ぐ器具を含む。器具は、溝、前面、及び建物に当接する後面を有する構造体と、頭部及び延長部を有する水切りとを含む。
【００１３】
構造体の溝は、長さと、長さに沿って略延びる輪郭とを有する。溝は突部及び頂部が形成されるように構造体に切り込まれている。突部は後面と略平行に延びるとともに水切りに取り付けられる。頂部は構造体の前面から離れるように水切りの延長部に向かって延びる。頂部はラップサイディングシステムの板の端部を覆うように位置決めされる。
【００１４】
水切りの頭部は構造体に接続されるように複数の機能を含んでいる。水が構造体の前面から構造体と水切りとの間の後面に漏れることを阻止するため、頭部は構造体の溝に係合するとともに当接する。頭部の一部は溝の輪郭の部位に当接するとともに従っている。
【００１５】
水切りの頭部は取付溝を含んでおり、構造体の突部は取付溝内に配設される。水切りの頭部は、部分的に取付溝を貫通して突部に延びる留め具によって構造体に取り付けられる。
【００１６】
水切りの頭部は、頭部の一部が溝の長さに対して非平行な角度で溝に挿入されるときに曲がるロックアームも含む。ロックアームは、溝の長さに対して非平行な角度で頭部の一部が溝から外れることを阻止する。具体的には、ロックアームは構造体の頂部に係合することにより、水切りの頭部の一部が溝から外れることを阻止する。
【００１７】
器具は、構造体を延びる第２溝と、延長部及び頭部を有する第２水切りとを含む。第２溝と第２水切りとは、前述の水切りと溝とに構造的に類似している。例えば、第２水切りの延長部が溝から構造体の後面と略平行に延びるように、第２水切りの頭部は構造体に接続可能であり、第２水切りの頭部の一部は第２溝の輪郭の一部に当接し且つ従っている。
【００１８】
代わりに、器具は構造体に所望の角度で取り付けられる第２構造体を含んでもよい。第２構造体は、凸部と溝、機械的な留め具、接着剤、または当該技術において公知の何か他の方法によって構造体に取り付けられる。
【００１９】
第２構造体は、溝、前面、及び建物に当接する後面を有する。本発明の構成において、
第２水切りの延長部は、第２構造体から第２構造体の後面と略平行に延びるように、第２水切りの頭部が第２構造体に接続可能である。さらに、第２水切りの頭部の一部は第２構造体の溝の輪郭の一部に当接し且つ従っている。
【００２０】
一度水切りの頭部が構造体または第２構造体のどちらかに接続されると、水切りの延長部は構造体から構造体の後面と略平行に延びる。水切りは、複数の板における一つの板の第１端部を受容する大きさの幅を有する板用溝の少なくとも一部を形成する。いくつかの構成において、水切りは板用溝の両側部を延びてもよい。
【００２１】
同様に、第２水切りは、複数の第２の板における一つの板の第１端部を受容する大きさの幅を有する板用溝の少なくとも一部を形成する。いくつかの構成において、第２水切りは板用溝の両側部を延びてもよい。
【００２２】
一度器具が組み立てられると、水切りの延長部を建物に取り付けることによって、器具は建物に取り付けられる。水切りの延長部は、くぎ、ねじ、ステップル、及び当該技術において公知の他の機械的な留め具のような機械的な留め具によって建物に取り付けられる。この方法では、器具は構造体の表面の外観を損なうことなく建物に取り付けられる。いくつかの場合、構造体は建物と垂直に配設された板である。
【００２３】
次に、複数の板における最底板は建物に取り付けられる。本発明のいくつかの構成において、最底板の第１端部が器具の板用溝内に配設されるとともに、垂直方向板用溝から水平に延びるように板は配設される。最底板の第２端部は他の器具の板用溝内に配設される。最底板は、建物に位置決めさるとともに、機械的な留め具、スタート部材、及び当該技術において公知の他の方法によって建物に取り付けられる。
【００２４】
最底板は、サイディングスタートクリップによっても建物に取り付けられる。サイディングスタートクリップは、接続頭部、接続頭部を位置決めするためのアーム、及び機械的な留め具を受容する孔のような取付機能部を含む。接続頭部は、最底板の最底側部に形成されたスロットに配設されるように成形されるとともに、建物に応じて最底板を適切に位置決めするように角度付けされる。
【００２５】
代わりに、基部スカートスタート部材が最底板を適切に位置決め及び方向付けするために用いられてもよい。加えて、基部スカートスタート部材は、最底板と腰板または建物の基礎との間に、最底板がこの接続箇所に溜まる水と接触することを防ぐための空隙を提供する。基部スカートスタート部材は、水が建物の基礎構造と最底板との間で吸い上げられて水による損傷を引き起こすことを阻止するために、最底板と基部スカートスタート部材との間にも空隙を提供する。
【００２６】
基部スカートスタート部材は、建物の基礎構造に当接する後面と、最底板を適切に位置決め及び方向付けするために後面から延びる位置決め突部と、水を集めるとともに建物から離れるように水を流す水溝とを含む。位置決め突部は、最底板の後面に形成された位置決めスロット内に配設されるとともに係合される位置決め面を有する係合部材を含む。
【００２７】
位置決めスロットは、板が基部スカートスタート部材を越えるとともに上方へ移動するときに係合部材の位置決め面に係合する相互位置決め面を有する。位置決め面と相互位置決め面との両方は、最底板の適切な位置決めを促進するために傾斜されている。したがって、一度基部スカートスタート部材が建物に取り付けられると、最底板の相互位置決め面を基部スカートスタート部材と係合するように摺動させることで最底板は位置決めされる。
【００２８】
上部水切りは、位置決め突部から延びるとともに建物の基礎構造を水から保護するために用いられる。上部水切りは、基部スカートスタート部材を基礎構造に取り付けるために用いられてもよい。
【００２９】
基部スカートスタート部材の水溝は、水溝に集められた水の幾分かが建物から離れるように流れることを可能にするためにその長さに沿って配設される放出オリフィスを含む。具体的には、水は水溝から流れて、放出オリフィスを流出して、腰板または基礎の一部を覆うように水溝から下方に延びる底部スカート上を流出する。底部スカートは水を建物から離すように成形される。
【００３０】
底部スカートスタート部材は、位置決め突部と反対に配設される最底板の底端の上で水溝から上方に延びる風防も含む。風防は内側に延びるへりも含む。風防は、風が水を最底板と建物の基礎構造との間で吹き上げて建物が水による損傷を引き起こすことを阻止する。
【００３１】
他の代替例では、スタート部材は、ラップサイディングシステムと、基礎または腰板との間に突部を含まない建物に用いられる。スタート部材は、上部水切り及び前述した基部スカートスタート部材と類似した係合部材を有する位置決め突部のみを含む。上部水切りは、スタート部材が留め具によって建物に取り付けられることを許容するように位置決め突部から延びる。
【００３２】
一度最底水平板が建物に取り付けられると、連結具は重なった板が適切に建物に取り付けられるように最底板に取り付けられる。さらに一般的には、２番目の板の一部が１番目の板の一部に重なるように、連結具は複数の板における１番目の板と２番目の板とを適切に位置決めするために用いられる。連結具は、風が建物から板を緩めるとともに引き離すことを阻止するように、重なった板を建物に取り付けるためにも用いられる。
【００３３】
連結具は、この場合最底板である１番目の板に係合する第１位置決め面と、重なった板である２番目の板に係合する第２位置決め面とを含む。連結具の第１位置決め面は、１番目の板の側面に当接する上側当接面と、１番目の板の前面に当接する前側当接面とを含む。上側当接面は連結具の係合部材から延びるアームの一部である。連結具のアームは、一番目の板に取り付けられることに先立って、連結具が１番目の板に置かれることを許容する。係合部材は前側当接面と第２位置決め面とを含む。
【００３４】
連結具は、機械的な留め具、接着剤、または当該技術において公知の他の取り付け手段によって一番目の板に取り付けられる。もし機械的な留め具が用いられるならば、連結具は前側当接面の反対に位置する留め具頭部スロットを含む。留め具頭部スロットは、留め具の頭部が位置決めスロット内で係合部材の嵌め合いと干渉することなく、係合部材が２番目の板の後面に形成された位置決めスロット内に完全に配設されることを許容する。
【００３５】
位置決めスロットは係合部材を受容するように成形され、それにより２番目の板が１番目の板の上を上方に移動するときに、位置決めスロットの相互位置決め面は第２位置決め面と係合する。第２位置決め面と相互位置決め面との両方は、２番目の板の適切な位置決めを促進するために傾斜される。したがって、一度連結具を１番目の板に取り付けると、１番目の板の相互位置決め面を連結具の第２位置決め面と係合するように摺動させることで、２番目の板は位置決めされる。
【００３６】
一度複数の板のほとんどが組み付けられてしまうと、上部継ぎ手部材は最終板を取り付けるために用いられるように下端に近接して配設される。最終板は複数の板と類似する板である。上部継ぎ手は、最終板に当接する板取付面と、上部継ぎ手の後面に延びるととも
に板取付面の反対に位置決めされる留め具頭部用凹部とを含む。留め具頭部用凹部は、上部継ぎ手を貫通して最終板に延びる機械的な留め具によって、上部継ぎ手が最終板に取り付けられることを許容するとともに、上部継ぎ手の後面が機械的な留め具の頭部から干渉されずに建物に当接することを許容する。
【００３７】
上部継ぎ手は、下端の一部に当接してそれを位置決めする下端支持面も含む。いくつかの構成において、下端支持面は下端に３面で接触する下端保持溝の一部である。いくつかの構成において、下端は接着剤または機械的な留め具によって上部継ぎ手に取り付けられる。
【００３８】
代わりに、最終板は構造体に設けられた溝及び前述の器具に類似した水切りを含んでもよい。したがって、最終板の構造体は水切りによって建物に取り付けられる。
板用溝を形成する第２水切りを含む器具では、第２の複数の板における一つの板は建物に取り付けられ、それにより第２水切りの延長部は器具から構造体または第２構造体の後面と略平行に延びる。前述の複数の板と類似した方法で、第２の複数の板は建物に取り付けられる。
【００３９】
本発明のこれら及び他の特徴と利点とは、この後の記載及び添付された請求の範囲からさらに十分に理解できるようになるであろうし、または以降に記載の発明のプラクティスによって知ることができるであろう。
【発明を実施するための最良の形態】
【００４０】
本発明の好ましい実施形態は、全体を通して類似した部品が類似した参照符号によって指定された図面を参照して最も理解できるであろう。ここの図面で一般的に記載及び示された本発明の構成要素は、多様な異なる構造に構成及び設計されることが容易に理解できるであろう。したがって、図１から図１０において代表されるような、後述の本発明のラップサイディングシステムの実施形態の更に詳細な説明は、クレームされたような発明の範囲に限定することを意図せず、単に本発明の現在の好ましい実施形態の代表である。
【００４１】
図１を参照すると、斜視図は建物１０２に取り付けられた本発明のラップサイディングシステム１００を示す。図示されるように、建物１０２の外装１０４は、ラップサイディングシステム１００の下にある腰板１０６と上にある下端１０８とを含む。更に、建物１０２の外装１０４は窓１００及びドア１１２を含む。
【００４２】
ラップサイディングシステム１００は突合せ部１２２として用いられる器具１２０を含む。具体的には、器具１２０は、建物１０２の外装１０４の側面１２８にわたって延びる第１の複数の水平板１２４と第２の複数の水平板１２６との間に、漏れのないコーキングレス突合せ部１２２を提供する。ラップサイディングシステム１００は、第３の複数の垂直板１３４と前記第１の複数の板１２４との間でコーナ接続部として用いられる器具１３０も含む。
【００４３】
器具１４０は、窓１１０の周囲で、漏れのないコーキングレス窓トリム１４２として用いられる。同様に、器具１４４は外装ドアトリム１４６として用いられる。
図示されるように、ラップサイディングシステム１００は、様々な漏れのないコーキングレス突合せ部を提供するとともに、建物１０２の外装１０４の隙間がない覆いを提供する。したがって、ラップサイディングシステム１００は、露出した留め具頭部がない優れた美観の外装１０４を提供するために腰板１０６から下端１０８に至るまで延びる。
【００４４】
突合せ部１２２として用いられる器具１２０をより良く説明するために、図２は図１の２−２線に沿った断面図である。図示されるように、器具１２０は、美観に優れた表面１
５２、及び建物１０２の外部１０４に当接して設けられる後面１５４を備える構造体１５０を含む。
【００４５】
構造体１５０は、第１溝１５６及び第２溝１５８も含む。溝１５６，１５８は、各溝１５６，１５８に沿って延びる輪郭１６０を有している。さらに、突部１６２及び頂部１６４が形成されるように溝１５６，１５８が構造体１５０に形成されている。突部１６２は、後面１５４と略平行に延びる。頂部は、構造体１５０の表面１５２から離れるように延びる。
【００４６】
器具１２０は、構造体１５０に取り付けられる第１水切り１６６及び第２水切り１６８を含む。構造体１５０及び水切り１６６，１６８は、第１の複数の板１２４及び第２の複数の板１２６の間に漏れのないコーキングレス突合せ部を提供するために協働する。
【００４７】
水切り１６６，１６８は、溝１５６，１５８に連結可能な頭部１７０を含み、頭部の一部は溝１５６，１５８の輪郭の一部に当接し且つ従っている。頭部１７０は、構造体１５０の突部１６２を受容する形状の取付溝１７２を有している。取付溝１７２は、取付溝１７２の部位を通り且つ突部１６２内へ延びる留め具１７４によって突部１６２に取り付けられてもよい。
【００４８】
水切り１６６，１６８の頭部１７０は、頭部１７０の一部が溝１５６，１５８の長さに対して非平行な角度で溝１５６，１５８に挿入されるときに曲がるロックアーム１７６も含む。ロックアーム１７６は、溝１５６，１５８の長さに対して非平行な角度で頭部１７０が溝１５６，１５８から外れることを阻止する。具体的には、水切り１６６，１６８の頭部１７０が各溝１５６，１５８から外れるのを阻止するために、ロックアーム１７６は構造体１５０の頂部１６４に係合する。
【００４９】
水切り１６６，１６８は延長部１８０も含む。延長部１８０は、頭部１７０から延びる水切り１６６，１６８の略平坦な部位である。頭部１７０が構造体１５０に取り付けられるとき、水切り１６６，１６８の延長部１８０は、構造体１５０から構造体１５０の後面１５４と略平行に延びる。器具１２０を建物１０２の外装１０４に固定するために、延長部１８０は建物１０２に取り付けられる。
【００５０】
図示されるように、水切り１６６，１６８は各々、第１の複数の板１２４又は第２の複数の板１２６の何れかにおける板１８８の端部１８６を受容する大きさの幅１８４を有する板用溝１８２の少なくとも一部を形成する。いくつかの構成において、水切り１６６，１６８は各々板用溝１８２の両側を延びてもよい。具体的には、延長部１８０は、板用溝１８２の一側を形成するために頭部１７０から延びるとともに、ロックアーム１７６が水切り１６６，１６８と対向する側を延びる。ロックアーム１７６は、第１の複数の板１２４又は第２の複数の板１２６における板１８８の端部１８６を板用溝１８２へ容易に位置決めするために、板用溝１８２から外側に曲げられている。
【００５１】
頂部１６４も板用溝１８２の一部を形成する。図示されるように、頂部１６４は板１８８に隣接するとともに板１８８が板用溝１８２内に位置決めされることを助ける。
水切り１６６，１６８が板用溝１８２の両側部を延びているので、器具１２０は、水が構造体１５０の表面１５２から構造体１５０と水切り１６６，１６８との間の後面１５４へ漏れることを阻止する。水が突合せ部１２２に向かうとき、水は板用溝１８２を流れ落ちて建物１０２から離れる。さらに、水切り１６６，１６８の頭部は溝１５６，１５８の配置及び輪郭によってうまく保護されているので、水は構造体１５０の後面１５４と建物１０２との間で補足されるように水切り１６６，１６８の後ろに染み込みにくい。
【００５２】
器具１２０の構造体１５０は、セラミック、金属、木、ポリマー、または、これら及び他の材料の複合材から作られる。構造体１５０は、鋳造、押し出し成形、鍛造、型成形、機械加工、及び当該技術において公知であるとともに相応に物質を形成するのに適した他の方法によって作られる。図示されるように、水切り１６６，１６８は、成形のために折り曲げ可能な金属薄板から作られる。
【００５３】
図３は、コーナ継ぎ手１３２として図１の建物１０２に組み付けられる他の器具１３０を示す３−３線に沿った断面図である。器具１３０は、第１水切り２００、及び表面２０４と後面２０６と第１水切り２００を受容するように形作られた第１溝２０８と取付部２１０とを有する第１構造体２０２を含む。
【００５４】
第１水切り２００は、頭部２１２、延長部２１４、及び頭部２１２から延長部２１４に延びるほぼ平坦な接触面２１６を含む。図２を参照して前述した水切り１６６，１６８のように、頭部２１２は取り付け溝１７２及びロックアーム１７６を含む。
【００５５】
しかしながら、第１水切り２００の頭部２１２は、図２を参照して前述した水切り１６６，１６８の外形と異なった外形を有する。具体的には、第１水切り２００の頭部２１２は、略平坦な接触面２１６に延びる留め具頭部用溝２１８を含む。留め具頭部用溝２１８は、留め具２２０の頭部２２２が略平坦な接触面２１６を越えて延びることなく、留め具２２０が第１水切り２００を第１構造体２０２に取り付けるために用いられることを許容する。
【００５６】
第１溝２０８は、図２において前述した突部１６２及び頂部１６４に類似する突部２２６及び頂部２２８に加えて、水切り用凹部２２４を含む。水切り用凹部２２４は、第１水切り２００が第１構造体２０２に取り付けられることを許容し、それにより第１構造体２０２の後面２０６は建物１０２に接する。さらに、水切り溝２２４は、第１水切り２００の略平坦な接触面２１６が第１構造体２０２の後面２０６と面一になることを許容する。したがって、第１水切り２００が取り付け留め具２３０によって建物１０２に取り付けられたとき、第１構造体２０２の後面２０６及び第１水切り２００の略平坦な接触面２１６は双方とも建物１０２に接する。
【００５７】
第１溝２０８及び第１水切り２００は、第３の複数の板１３４における垂直板２３６の一部２３４を受容する大きさを有する板用溝２３２を形成するために協働する。垂直板２３６は、取り付け留め具を隠すように位置決めされる。
【００５８】
器具１３０は、第１水切り２００及び第１構造体２０２と同じ多くの特徴を有する第２水切り２４０及び第２構造体２４２を含む。しかしながら、第２構造体２４２は、取付部２１０に代えて、嵌め合わせ取付部２１０を含む。第２構造体２４２が第１構造体２０２に角度２４６で固着されて、漏れのないコーキングレスコーナ継ぎ手１３２を提供することを許容するために、嵌め合わせ取付部２４４は取付部２１０と係合する。もちろん、コーキングが使われても良いが、必要ではない。
【００５９】
第２構造体２４２及び第２水切り２４０は、第１の複数の板１２４の端部２４８を受容する大きさを有する板用溝２４７を形成するために協働する。第１構造体２０２及び第２構造体２４２を用いることにより、板用溝２３２，２４７は垂直な第３の複数の板１３４及び水平な第１の複数の板１２４を受容するために用いられる。これは継ぎ手が垂直板または水平板を受容するために連結されることを許容することによって、ラップサイディングシステム１００にいくつかのモジュール方式を必要に応じて提供する。
【００６０】
図示されるように、嵌め合わせ取付部２４４は、取付部２１０に９０°の角度２４６で
取り付けられる。もちろん、嵌め合わせ取付部２４４は、取付部２１０に３０°の角度、４５°の角度または６０°の角度のような所望の他の角度２４６で取り付けられても良い。嵌め合わせ取付部２４４及び取付部２１０は、第２構造体２４２が第１構造体２０２に適切に整合させられることを許容する。嵌め合わせ取付部２４４は、取付部２１０に留め具（図示せず）または接着剤２４９によって取り付けられる。
【００６１】
第１水切り２００及び第２水切り２４０は、金属、セラミック、プラスチック、木、または、これらの材料の複合材から作られる。水切り２００，２４０は、押し出し成形、型成形、鋳造、機械加工、及び当該技術において公知である他の方法によって作られる。
【００６２】
図３Ａは、図３に示される器具１３０に代えてコーナ継ぎ手１３２として図１の建物１０２に組み付けられる代替器具２５０を示す斜視図である。器具２５０は、図２の器具１２０と様々な点において類似している。したがって、簡潔にするために、差異のみを詳細に説明する。
【００６３】
器具２５０は、第１部分２５４及び第１部分２５４に対して角度２５８で延びる第２部分を有する構造体２５２を含む。第１部分２５４は第１溝１５６を含み、第２部分２５６は第２溝１５８を含む。溝１５６，１５８は、各々溝１５６，１５８の長さ２５８に沿って延びる輪郭１６０を有する。
【００６４】
溝１５６，１５８と第１水切り１６６及び第２水切り１６８の頭部１７０の形状とは、構造体２５２が接着剤または留め具なしで水切り１６６，１６８に接続されることを可能にする。具体的には、構造体２５２の溝１５６，１５８の一つの突部１６２が水切り１６６，１６８の一つの取り付け溝１７２内に配設されるとき、水切り１６６，１６８のロックアーム１７６は構造体２５２の頂部１６４を通過させるように曲がる。このようにして、ロックアーム１７６は、水切り１６６，１６８が溝１５６，１５８の長さ２５８に対して非平行な角度で溝から外れることを阻止する。したがって、構造体２５２を水切り１６６，１６８に取り付けなくても、水切り１６６，１６８を建物に取り付けるだけで、器具２５０は建物１０２に組み付けられる。
【００６５】
窓用水切り２６８の上の窓トリム１４２として図１の建物１０２に組み付けられる器具１４０の４−４線に沿った断面図である図４を参照する。図示されるように、器具１４０は、図３の第１溝２０８の輪郭２１７に類似した輪郭２７４を有する側方溝２７２を含む構造体２７０を含む。器具１４０は、留め具２２０によって側方溝２７２で構造体２７０に取り付けられた水切り２７６も含む。器具１４０は、水切り２７６を貫通して延びる、くぎ打ち機によって打たれる構造くぎのような組み付け留め具２３０によって建物１０２に取り付けられる。
【００６６】
図示されるように、第２の複数の板１２６における二つの重なった板１８８の端部１８６は、板用溝２７８内へ延びる。水切り２７６の延長部２８０は、板用溝２７８の側面を画定するために、第２の複数の板１２６と建物１０２との間を延びる。ロックアーム２８２は、構造体２７０の頂部２８４と協働して板用溝２７８の側面を画定するために、第２の複数の板１２６と対向する側を延びる。
【００６７】
図５は、図４に示される器具１４０をさらに示す図１の５−５線に沿った断面図である。図示されるように、構造体２７０は、図４に示された側方溝２７２に取り付けられる水切り２７６に類似した窓用水切り２６８に取り付けられる底溝２８６を含む。いくつかの構成において、構造体２７０は、接着剤によって窓枠２８９に取り付けられるが、他の構造においては、接着剤は用いられなくても良い。
【００６８】
第２の複数の板１２６における一つの板１８８の側部２９０は、第２の複数の板１２６と窓枠２８９との間に保護継ぎ手を提供するために、底部板用溝２９２内に配設される。一つの板１８８の側部２９０のみが底部板用溝２９２内に受容されるので、底部板用溝２９２は側方溝２７２の板用溝２７８よりも狭い。
【００６９】
図６は、図１の６−６線に沿った断面図であるとともに、窓枠２８９の上に配設された器具１４０を示す。器具１４０は、窓枠２８９の下に配設された構造体２７０と同様の上方構造体２９４を含む。器具１４０は、構造体２９４及び建物１０２に取り付けられた窓用水切り２９５も含む。
【００７０】
窓用水切り２９５は、第２の複数の板１２６における一つの板１８８の側部２９０を受容する大きさを有する上方板用溝２９４を少なくとも部分的に形成する。スペーサ２９６は、留め具２９７によって窓用水切り２９５に取り付けられるか、窓用水切り２９５と一体的に形成される。スペーサは、板１８８の側部２９０を上方板用溝２９４に適切に位置決めするために用いられる。スペーサ２９６は、窓用水切り２９５との間に空隙２９８を提供するために用いられ、板１８８の側部２９０は上方板用溝２９４に溜まる水の上に配設される。これは、板１８８に対する水による損傷を阻止する。
【００７１】
水が第２の複数の板１２６を流れ落ちるとき、水は上方板用溝２９４に流入する。上方板用溝２９４は、その後水を図４に示される板用溝２７８に向かわせる。板用溝２７８は、建物の外装１０４の上の水を第２の複数の板１２６における板１８８の下に向かわせ、そして建物１０２から離れるように導く。
【００７２】
図７を参照すると、図１の７−７線に沿った断面図は、腰板１０６の上で図１の建物１０２に組み付けられたラップサイディングシステム１００の複数の板３００の組み付けを示している。図示されるように、コーナ用水切り３０２は、腰板１０６と建物１０２との間のコーナ部３０４に配置される。コーナ用水切り３０２は、建物１０２の外装１０４の上を流れ落ちる水や、水による損傷の原因となる水の滞留から建物１０２を保護する。コーナ用水切り３０２は任意的にコーキングされても良い。
【００７３】
スタート部材３０６が、その後コーナ部３０４のコーナ用水切り３０２の上に配置される。スタート部材３０６は、図１に示される複数の板３００における最底板３０８を建物１０２から離間させる。
【００７４】
次に、スタートクリップ３１０が、スタート部材３０６に隣接して配設される。留め具３１２は、スタートクリップ３１０、スタート部材３０６及びコーナ用水切り３０２を建物１０２に取り付ける。スタートクリップ３１０は、最底板３０８を適切に角度付けするとともに、最底板３０８とコーナ用水切り３０２との間に空隙３１４を提供する。空隙３１４は、水が建物１０２から離れるように複数の板３００の後ろから流れ出ることを許容する。空隙３１４は、空気流が複数の板３００と建物１０２との間の間隔を乾燥させることも可能とする。
【００７５】
スタートクリップ３１０は、最底板３０８の最底側部３１６を建物１０２に取り付ける。これは、強風が最底側部３１６を建物１０２から離すように引き上げること、あるいは最底板３０８が建物１０２から引き離されることを阻止する。スタートクリップ３１０を最底側部３１６に取り付けるために、スタートクリップ３１０は、最底板３０８の最底側部３１６に形成されたスロット３２０内に配設される接続頭部３１８を有する。最底板３０８の上部３２２は、取り付け留め具２３０によって取り付けられる。
【００７６】
２番目の板３２４を建物１０２に取り付けるために、連結具３２６が用いられ、２番目
の板３２４の一部は、この場合では最底板３０８である１番目の板３２８の一部に適切に重なる。連結具３２６は係合部材３３０と、本体３３０から延びるアーム３３２とを含む。係合部材３３０とアーム３３２とは、１番目の板３２８に係合するための第１位置決め面３３４と２番目の板３２４に係合するための第２位置決め面３３６とを含む。
【００７７】
連結具３２６の第１位置決め面３３４は、１番目の板３２８の上側面３４０に当接する上側当接面３３８と、１番目の板３２８の前面３４４に当接する前側当接面３４２とを含む。上側当接面３３８はアーム３３２の一部であるとともに、連結具３２６の係合部材３３０に配設される前側当接面３４２に対して垂直に延びる。
【００７８】
連結具３２６を１番目の板３２８に位置決めするために、第１位置決め面３３４が１番目の板３２８の上部３２２に係合され、それにより上側当接面３３８が上側部３３５に接触するとともに前側当接面３４２が前面３４４に接触する。連結具３２６は、その後留め具３４６と共に取り付けられる。いくつかの構成において、係合部材３３０は、前側当接面３４２の反対側に配設された留め具頭部スロット３４８を含む。留め具頭部スロット３４８は、留め具３４６の頭部が、係合部材３３０の輪郭の下に位置決めされることを許容する。
【００７９】
一度連結具３２６が１番目の板３２８に取り付けられると、係合部材３３０は、２番目の板３２４の後面３５２に形成された位置決めスロット３５０内に配設される。位置決めスロット３５０は、相互位置決め面３５４を含む。２番目の板３２４の適切な位置決めを容易にするため、第２位置決め面３３６と相互位置決め面３５４との両方が傾角３５５をもたせられる。斜角３５５は、前側当接面３４２から、約２５°から約８５°の範囲でよいが、好適には、約３０°から約６０°の範囲でもよい。
【００８０】
第２位置決め面３３６及び相互位置決め面３５４が係合されるとき、２番目の板３２４の上部３５６は組み付け留め具２３０によって建物１０２に取り付けられる。第２位置決め面３３６及び相互位置決め面３５４が傾角３５５だけ傾斜する構成において、連結具３２６は、２番目の板３２４の底部３５８を１番目の板３２８に取り付ける。このようにして、複数の板３００は、上部３５６と底部３５８との両方によって建物に取り付けられる。これは、板が一側にのみ取り付けられて風が板を建物１０２からはがす場合に起こる、風が複数の板３００を建物１０２から引き離すことを阻止する。
【００８１】
図７Ａは、図７に示されるスタートクリップ３１０の斜視図である。連結頭部３１８は、取付部３６２から延びるアーム３６０によって位置決めされる。連結頭部３１８は、図７に示される最底板３０８を適切に位置決めするのを助けるため、アーム３６０に対して角度付けされている。取付部３６２は、機械的な留め具を受容する孔３６４を含む。
【００８２】
代わりに、図７Ｂに示される基部スカートスタート部材３７０が最底水平板３０８を腰板１０６の上で適切に位置決めするとともに方向付けするために用いられてもよい。図７Ｂは、図１の７−７線に沿った断面図である。基部スカートスタート部材３７０は、最底板３０８と建物１０２の腰板１０６との間に底側空隙３７１を提供する。基部スカートスタート部材３７０は、最底板３０８がこの接続箇所に溜まった水に接触することを阻止する。基部スカートスタート部材３７０は、水が基部スカートスタート部材３７０と最底板３０８との間で吸い上げられて水による損傷を引き起こすことを阻止するために、最底板３０８と基部スカートスタート部材３７０との間に側部空隙３７２をも提供する。
【００８３】
図示されるように、基部スカートスタート部材３７０は、建物１０２に当接するための後面３７３と、最底板３０８を適切に位置決め及び方向付けするための位置決め突部３７４とを含む。上部水切り３７５は、建物１０２を水による損傷から保護するために位置決
め突部３７４から延びる。上部水切り３７５は、基部スカートスタート部材３７０を留め具３１２で建物１０２に取り付けるためにも用いられる。
【００８４】
位置決め突部３７４は、最底板３０８の後面に形成された位置決めスロット３５０内に配設されるとともに同スロット３５０に係合する位置決め面３７７を有する係合部材３７６を含む。位置決めスロット３５０は、最底板３０８が係合部材上であって且つ腰板１０６から上方に移動するときに係合部材３７６の位置決め面３７７に係合する相互位置決め面３５４を有する。
【００８５】
最底板を基部スカートスタート部材３７０に適切に位置決め及び取り付けすることを容易にするため、位置決め面３７７と相互位置決め面３５４は傾角３７７０だけ傾斜される。したがって、一旦基部スカートスタート部材３７０が建物１０２に取り付けられると、位置決め面３７７が相互位置決め面３５４と係合されるときに、係合部材３７６は最底板３０８の一部を基部スカートスタート部材３７０に接続させるために用いられる。位置決め面３７７及び相互位置決め面３５４の後面３７７１からの斜角３７７０は約５７°であるが、後面３７７１から約１５°から約８５°の範囲でもよい。いくつかの構成において、後面３７７１からの傾斜３７７０は、約３０°から約６０°の範囲でもよいし、他の構成においては、後面３７７１から、約４５°から約６０°の範囲でもよい。
【００８６】
加えて、基部スカートスタート部材３７０は、底面３８０に対して角度３７９で配設された上面３７８と、底面３８０から下方に延びる底部スカート３８１とを含む。水が上面３７８を流れ出て、底部スカート３８１上を流れて、建物１０２から離れることを促すことによって水が基部スカートスタート部材３７０に溜まることを阻止するために、上面３７８は３７９だけ角度付けされる。
【００８７】
図７Ｃは、図７Ｃに示される基部スカートスタート部材３７０と多くの点で類似する代替基部スカートスタート部材３８５を示す。例えば、基部スカートスタート部材３８５は、建物１０２に当接する後面３７３、位置決め突部３７４を有する適切な位置決めのための係合部材３７６を含む。基部スカートスタート部材３８５は、基部スカートスタート部材３７０を留め具３１２で建物１０２に取り付けるために位置決め突部３７４から延びる上部水切り３７５、及び底部スカート３８１も含む。
【００８８】
基部スカートスタート部材３７０と対照的に、基部スカートスタート部材３８５は中空断面３８６を任意に含む。中空断面３８６は、基部スカートスタート部材３８５が、中空でない基部スカートスタート部材（図示せず）よりも少ない留め具を要するような重量になることを可能にする。
【００８９】
加えて、基部スカートスタート部材３８５は、ラップサイディングシステム１００の第１の複数の板１２４を流れ落ちる水を集めるとともに建物１０２から離れるように水を導くための水溝３８７を含む。水溝３８７は、最底板３０８の下の水を集めるとともに、水溝３８７から基部スカートスタート部材３８５の外へ延びる放出オリフィス３８８を通過するように水を導く。放出オリフィス３８８は、基部スカートスタート部材３８５の長さに沿って配設される。放出オリフィス３８８は、水溝３８７に集められた水の幾分かが底部スカート３８１上を流れ落ちるとともに建物から離れるように流れることを可能にする。
【００９０】
風防３８９は、最底板３０８の最底側３１６の上で上方に延びる水溝３８７に関して位置決め突部３７４と反対に配設される。風防３８９は内側に延びるへり３９０も含む。風防３８９は、風が水を最底板３０８と基部スカートスタート部材３８５との間で吹き上げて建物１０２が水による損傷を引き起こすことを阻止する。
【００９１】
図７Ｄに示される他の代替例では、スタート部材３９５は、ラップサイディングシステム１００の位置と腰板１０６との間に突部を含まない建物１０２に用いられる。スタート部材３９５は、前述した基部スカートスタート部材３７０，３８５と類似した係合部材３７６を有する位置決め突部３７４から延びる上部水切り３７５のみを含む。位置決め突部３７４は中空断面３８６も有する。もちろん、位置決め突部３７４は中空でない断面を有してもよい。
【００９２】
図８を参照すると、断面図は、建物１０２に取り付けられる上部継ぎ手４００と、第１の複数の板１２４の最上板４０３を受容する大きさを有する溝４０２を有する幕板４０１とを示す。詳細には、上部継ぎ手４００は、留め具４０５によって建物１０２に取り付けるための取り付けタブ４０４を有する。
【００９３】
上部継ぎ手４００は、幕板４０１に当接する幕板当接面４０６及び板取り付け面４０６の反対に配設された留め具頭部用凹部４０８も含む。留め具頭部用凹部４０８は上部継ぎ手４００の後側４１０に延びる。留め具頭部用凹部４０８は、上部継ぎ手４００が留め具４１２によって幕板４０１に取り付けられることを許容するとともに、上部継ぎ手４００の後側４１０が留め具４１２の頭部４１４から干渉されることなく建物１０２に当接することを許容する。
【００９４】
上部継ぎ手４００は、下端４２０の一部に当接してそれを位置決めする下端支持面４１６も含む。下端支持面４１６は、下端４２０を受容する大きさを有する下端保持溝４２２の一部である。下端保持溝４２２は、上部継ぎ手４００が図１に示されるようなさらに美観に優れた外装１０４を提供させるように下端４２０に近接する板４０２を建物１０２に位置決めすることを可能にする。
【００９５】
図示されるように、第１の複数の板１２４の最上板４０３は、スペーサ４２３によって角度付けされた位置に支持されるとともに、板４０３及びスペーサ４２３を貫通して延びる留め具４２４によって建物に取り付けられる。板４０３の一側部４２５とスペーサ４２３の一部とは幕板４０１の溝４０２内を延びる。
【００９６】
スペーサ４２３は、建物１０２への取り付けのために、最上板端部４０３を適切に角度付けすることを助ける。スペーサ４２３はポリプロピレンのようなプラスチックから作られる。
【００９７】
水が幕板４０１と板４０３の一側部４２５との接続箇所４２６の後ろに漏れることを阻止するため、トリムブロック４２７が用いられる。図示されるように、トリムブロック４２７は、装飾部４２８と水切り部４２９とを含み、それらは留め具４３０によって共に取り付けられる。装飾部４２８は、トリムブロック４２７が幕板４０１と板４０３の一側部４２５との接続箇所４２６に取り付けられるときに、留め具４２４が装飾部４２８によって覆われる大きさを有する。
【００９８】
水切り部４２９は、トリムブロック４２７を幕板４０１と板４０３の一側部４２５との接続箇所４２６に取り付けるための取り付け頭部４３２を含む。トリムブロック４２７の水切り部４２９は、幕板４０１と板４０３の一側部４２５との間の溝４０２に挿入される。水切り部４２９が挿入されるとき、水切り部４２９の取り付け頭部４３２は、溝４０２の保持頂部４３４の下を通過する。一度完全に挿入されると、頭部４３０は保持頂部４３４に係合するとともにトリムブロック４２６を幕板４０１と板４０３の一側部４２５との接続箇所に取り付ける。
【００９９】
代わりに、図８Ａは、図１の８−８線に沿った代替断面図を示す。詳細には、板４４０は、図２の構造体１５０の溝１５６，１５８に類似した溝４４２を含む。板４４０は延長部４４６と頭部４４８とを有する水切り４４４に取り付けられる。頭部４４８は、図２の水切り１６６，１６８の頭部１７０と類似している。したがって、板４４０は、水切り４４４を貫通して延びる留め具４０５によって建物１０２に取り付けられる。
【０１００】
水切り４４４の延長部４４６は、板４４０の上側部４５２とともに部分的に下端用溝４５０を形成する。下端用溝４５０は、下端４２０を受容する大きさを有する。この構成では、下端４２０は板４４０の上側部４５２に直接置かれている。加えて、図１に示される器具１２０，１３０の板用溝を水が流れ落ちる板４４０の端部に向けて水を導く水切り４４４によって、水が板４４０と下端４２０との間に漏れることが阻止される。
【０１０１】
図９を参照すると、図１の９−９線に沿った断面図は、ラップサイディングシステム１００の第３の複数の板１３４における垂直板５０２同士の間に、コーキングの必要のない耐候継ぎ手５０１を提供する器具５００を示す。もちろん、必要ではないがコーキングが用いられてもよい。
【０１０２】
図示されるように、器具５００は、留め具５０８によって水切り５０６に取り付けられる溝５０４を有する構造体５０３を含む。水切り５０６は、頭部５１０と、頭部５１０の両側に延びる二つの延長部５１２とを含む。頭部５１０は、溝５０４の輪郭５１４に部分的に合致する。
【０１０３】
構造体５０３と水切り５０６とが器具５００を形成するために留め具５０８によって共に取り付けられるとき、構造体５０３と水切り５０６とは二つの取り付け溝５１６を形成するために協働する。取り付け溝５１６は、板５０２の一側部を受容する大きさを有するとともに、板５０２を建物５０２の適切な位置に支持する。
【０１０４】
構造体５０３と水切り５０６とは、水による損傷を引き起こすように板５０２の後ろで水が吸われることを阻止する。構造体５０３と水切り５０６とは、取り付け溝５１６に流入する水が下方に流れるとともに建物１０２から離れるように流れることを許容する空隙５１８を提供する。
【０１０５】
ラップサイディングシステム１００の垂直板５０２を建物１０２に組み付けるために、継ぎ手（図示せず）の取り付け溝内に一側部が配設される。第１板５２０の最上部（図示せず）は、図８のトリムブロック４２７の下に配設された留め具によって建物１０２に取り付けられる。その後、第１板５２０の他側部５２２は、器具５００の取り付け溝５１６内に配設される。
【０１０６】
継ぎ手（図示せず）の取り付け溝と器具５００の取り付け溝５１６との間に第１板５２０を閉じ込めるために、器具５００は建物１０２に配設される。第１板５２０と反対の水切り５０６の延長部５１２は、ステップル５２４でもよい留め具５２３によって建物１０２に取り付けられる。
【０１０７】
第２板５２６の側縁部５２５は、その後第１板５２０と反対の取り付け溝５１６内に配設される。第２板５２６は、その後第１板５２０と類似した態様で建物１０２に取り付けられる。第３の複数の板１３４が全て建物１０２に取り付けられたとき、最後の板（図示せず）の最後の縁部を建物１０２に固定するために、図２，３，３Ａ等を参照して前述した器具１２０，１３０，２５０等の一つが用いられる。
【０１０８】
代わりに、図９Ａに示される器具５３０が、ラップサイディングシステム１００の第３
の複数の板１３４における垂直板５０２同士の間にコーキングの必要がない耐候継ぎ手５０１を提供するために用いられてもよい。図９の器具５００のように、器具５３０は、頭部５３８と頭部５３８の両側に延びる二つの延長部５４０とを有する水切り５３６に取り付けられる溝５３４を有する構造体５３２を含む。しかしながら、構造体５３２は、別体の取り付け具によって水切り５３６に取り付けられない。代わりに、頭部５３８は一体形成された取り付け部材５４２を含む。
【０１０９】
取り付け部材５４２は、頭部５３８の平面部５４４から水切り５３６の後面５４６と略垂直に延びる。取り付け部材５４２は、水切り５３６へ向かう構造体の動きに応じて、水切り５３６が構造体５３２の溝５３４に係合するように嵌め込まれることを許容する。
【０１１０】
取り付け部材５４２は、水切り５３６の長さ５４７に延びるか、または水切り５３６の長さ５４７に沿って個々に位置決めされてもよい。各取り付け部材５４２は、脚部５４８と、水切り５３６に対して構造体５３２を把持するために平面部５４４に略対向する保持面５５２を有する保持頭部５５０とを含む。構造体５３２の溝５３４は、相互保持面５５６を有する把持溝５５４を含む。保持頭部５５０は、取り付け部材５４２が構造体５３２を受容するために自然形状から曲がるとともに、構造体５３２を水切り５３６の頭部５３８の平面部５４４に対して固定するために、保持頭部５５０が把持溝５５４内に移動したときに自然形状に復帰するように形成される。もちろん、器具５３０を形成するに際して、取り付け部材５４２の他の構成及び位置が水切り５３６を構造体５２０に取り付ける発明に従って用いられてもよい。
【０１１１】
構造体５３２が水切り５３６に取り付けられるとき、保持頭部５５０は把持溝５５４内に延びて、保持面５５２は把持溝５５４の保持面５５６に接する。保持面５５２及び相互保持面５５６は、保持頭部５５０が把持溝５５４から離間して構造体５３２が水切り５３６から外れることを阻止するように位置決めされる。
【０１１２】
器具５３０の構成の違いによって、第３の複数の板１３４を建物１０２に取り付けるために他の方法が用いられてもよい。例えば、まず水切り５３６は、建物１０２に位置決めされるとともに延長部５４０を貫通して延びる留め具５６０によって建物１０２に取り付けられてもよい。その後、第１板５２０は水切り５３６の頭部５３８及び建物１０２に関して位置決めされてもよい。
【０１１３】
第１板５２０が頭部５３８に対して位置決めされるのを助けるため、頭部５３８はスペーサ５５８を含む。スペーサ５５８は第１板５２０と頭部５３８との間に提供されるべき適切な量のスペースを与えており、取り付け部材５４２は曲がるとともに構造体５０２を受容することができる。その後、第１板５２０は留め具５６２によって建物１０２に取り付けられる。
【０１１４】
次に、第２板５２６は水切り５３６の頭部５３８に対して第１板５２０と反対に位置決めされるとともに建物１０２に対して位置決めされる。第２板も留め具５６２によって建物１０２に取り付けられる。最後に、構造体５０２は水切り５３６に取り付けられるように嵌めこまれて、構造体は建物１０２の美的魅力のある外装１０４を提供するために留め具５６２の頭部５６４を覆う。
【０１１５】
図１０を参照すると、図１の１０−１０線に沿った断面図は、ラップサイディングシステム１００の器具６０１と第３の複数の板１３４における垂直板６０２を腰板１０６の上に適切に位置決めするための底部継ぎ手６００を示す。図示されるように、底部継ぎ手６００は、底部継ぎ手６００を留め具６１２で建物１０２に取り付けるための上部水切り６１０を含む。上部水切り６１０も、第３の複数の板１３４と底部継ぎ手６００との間で吸
い上がる水から建物１０２を保護する。
【０１１６】
底部継ぎ手６００は、器具６０１と第３の複数の板１３４における垂直板６０２とを建物１０２へ取り付けるために、適切に位置決めするために用いられる係合部材６１４を任意に含む。係合部材６１４は、器具６０１及び垂直板６０２の位置決めスロット６１６内に配設される。位置決めスロット６１６は係合部材６１４よりも大きいので、空隙６１８が形成される。水が底部継ぎ手６００の端部へ空隙６１８を流れ落ちて、建物１０２から離れて流れることを促進することによって、空隙６１８は、水が上部水切り６１０と第３の複数の板１３４との間を吸い上がることを阻止することを助ける。
【０１１７】
係合部材６１４の下に、底部継ぎ手６００は上面６２０を含む。水が外部水切り６２６上を建物１０２から離れるように流れることを促進するために、上面６２０は底面６２４から角度６２２で配設される。
【０１１８】
底部継ぎ手６００は装飾板取り付け部材６３０も含む。装飾板取り付け部材６３０は、底面６２４の下を延びるとともに、装飾板６３２が留め具６３３によって建物１０２に取り付けられることを可能にする。装飾板取り付け部材６３０は、装飾板６３２を腰板１０６から６３４だけの間隔をあけるためにも用いられており、水は水による損傷を引き起こすように装飾板６３２の後ろを吸い上がることができない。図示されるように、外部水切り６２６は装飾板６３２を部分的に覆うために下方に延びる。
【０１１９】
このようにして、底部継ぎ手６００は腰板１０６と第３の複数の板１３４との間に耐候継ぎ手を提供することができる。加えて、底部継ぎ手６００は、露出した留め具なしで装飾板６３２が建物１０２に取り付けられることを可能にする。
【０１２０】
要約すると、コーキングを要しない耐候継ぎ手を提供するために、水切りと一体化された構造体を提供するラップサイディングシステムが示された。さらに、より美しい耐候外壁を提供するために、本発明の板が住宅の下端に近接するように位置決めされることを可能にする上部継ぎ手が提供された。
【０１２１】
加えて、本発明のラップサイディングシステムは、コンスタントな測定を要することなく、連続する板の各々を建物に適切に位置決めするとともに取り付けるために用いられる連結具を提供する。連結具はまた、建物の壁の変化に由来する連続する板の各々同士の間の顕著な空隙を阻止する。板同士の間の大きな空隙を阻止することによって、水が板の後ろを流れて水による損傷を引き起こすことが阻止される。連結具はまた、ラップサイディングシステムを風防するために、各板の一部を建物に取り付けるために用いられる。
【０１２２】
上述した構造体、連結具、上部継ぎ手及び水切りは、プラスチック、金属、セラミック、木、または複数種の材料の複合材から作られる。連結具、上部継ぎ手及び水切りは、曲げ形成、機械加工、押し出し成形、鋳造、型成形、鍛造、及び当該技術に精通した者にとって公知である他の形成方法によって作られる。例えば、水切りは成形するために曲げられる金属薄板から作られてもよい。代わりに、連結具、上部継ぎ手及び水切りは、押出金属またはプラスチックから作られてもよい。
【０１２３】
本発明は、ここで広く記載された、または後で請求されるような構造、方法、または他の必須な特徴から逸脱しなければ、他の特定の形態において具体化されてもよい。記載された実施形態は、あらゆる点において具体的であるとともに限定的ではないと考えられるべきである。本発明の範囲は、したがって前述の記載よりもむしろ添付された請求の範囲によって示される。請求の範囲と同等の意味及び範囲内の全ての変更は、それらの範囲に包含されるべきである。
【図面の簡単な説明】
【０１２４】
【図１】建物の外装に組み付けられる本発明のラップサイディングシステムの斜視図。
【図２】図１の建物に組み付けられる本発明に係る突合せ部としての器具の２−２線に沿った断面図。
【図３】図１の建物に組み付けられるコーナ継ぎ手としての他の器具の３−３線に沿った断面図。
【図３Ａ】図１の建物に組み付けられるコーナ継ぎ手としての代替器具の３−３線に沿った代替断面図。
【図４】図１の建物に組み付けられる窓枠としての器具の４−４線に沿った断面図。
【図５】図４に示されるとともに図１の建物に組み付けられる器具の５−５線に沿った代替断面図。
【図６】図１の建物に窓の上で組み付けられるラップサイディングシステムの板の６−６線に沿った断面図。
【図７】図１の建物に腰板の上で組み付けられるラップサイディングシステムの板の７−７線に沿った断面図。
【図７Ａ】図７に示されるスタートクリップの斜視図。
【図７Ｂ】図１の建物に腰板の上で組み付けられるラップサイディングシステムの板の７−７線に沿った代替断面図。
【図７Ｃ】図１の建物に腰板の上で組み付けられるラップサイディングシステムの板の７−７線に沿った他の断面図。
【図７Ｄ】図１の建物に腰板の上で組み付けられるラップサイディングシステムの板の７−７線に沿ったさらに他の断面図。
【図８】図１の建物に組み付けられる上部継ぎ手、最終板及び下端の８−８線に沿った断面図。
【図８Ａ】図１の建物に組み付けられる代替構成における最終板及び下端の８−８線に沿った代替断面図。
【図９】図１の建物に組み付けられるラップサイディングシステムの垂直板の９−９線に沿った断面図。
【図９Ａ】図１の建物に組み付けられるラップサイディングシステムの垂直板の９−９線に沿った代替断面図。
【図１０】図１の建物に腰板の上で組み付けられるラップサイディングシステムの垂直板の１０−１０線に沿った断面図。
【図１】
2008540886.tif 000003
【図２】
2008540886.tif 000004
【図３】
2008540886.tif 000005
【図３Ａ】
2008540886.tif 000006
【図４】
2008540886.tif 000007
【図５】
2008540886.tif 000008
【図６】
2008540886.tif 000009
【図７】
2008540886.tif 000010
【図７Ａ】
2008540886.tif 000011
【図７Ｂ】
2008540886.tif 000012
【図７Ｃ】
2008540886.tif 000013
【図７Ｄ】
2008540886.tif 000014
【図８】
2008540886.tif 000015
【図８Ａ】
2008540886.tif 000016
【図９】
2008540886.tif 000017
【図９Ａ】
2008540886.tif 000018
【図１０】
2008540886.tif 000019
【国際調査報告】
2008540886.tif 000020